(57)【要約】【課題】血液の流出を防止できるカテーテル用ガイドワイヤー挿入装置を提供する。【解決手段】このカテーテル用ガイドワイヤー挿入装置は、その内部に中空が形成され、先端部には血管に挿入される針が取り付けられるニードル部１０と、前記ニードル部の中空に取り付けられて前記針を通じて流入した血液の流れを遮断するバルブ手段５０と、前記ニードル部の中空の後端部に取り付けられて前記バルブ手段を前記ニードル部の内部に固定させるキャップ部２０と、そして前記キャップ部の後端部に挿入されて前記バルブ手段を貫通することによって前記ニードル部を通じて血液を採取するシリンジ１１を含む。【選択図】図２
2004530517.tif 000002
【特許請求の範囲】
【請求項１】
その内部に中空が形成され、先端部には血管に挿入される針が取り付けられるニードル部;
前記ニードル部の中空に取り付けられて、前記針を通じて流入した血液の流れを遮断するバルブ手段;
前記ニードル部の中空の後端部に取り付けられて、前記バルブ手段を前記ニードル部の内部に固定させるキャップ部;そして
前記キャップ部の後端部に挿入されて、前記バルブ手段を貫通することによって前記ニードル部を通じて血液を採取するシリンジ
を含むことを特徴とするカテーテル用ガイドワイヤー挿入装置。
【請求項２】
前記バルブ手段は血液の流れを遮断するチェックバルブと、前記チェックバルブの後方に取り付けられて、前記シリンジの先端によって前進運動をすることによって前記チェックバルブを開放させるロッド部と、前記ロッド部を後方に加圧してシリンジを除去した状態では前記チェックバルブが閉じるようにするスプリングを含むことを特徴とする、請求項１に記載のカテーテル用ガイドワイヤー挿入装置。
【請求項３】
前記チェックバルブは中間部に円形孔が形成された円形フランジと、前記円形フランジの一側に半球状に突出形成されて前記針と対向しており、その頂点に切開部が形成され、内部には空間が形成されて前記円形フランジの円形孔と連通する半球部を含むことを特徴とする、請求項２に記載のカテーテル用ガイドワイヤー挿入装置。
【請求項４】
前記チェックバルブは自身の弾力性によって前記切開部が常に弾力的に密閉されることを特徴とする、請求項３に記載のカテーテル用ガイドワイヤー挿入装置。
【請求項５】
前記ロッド部はその内部に中空が形成された管状であり、前記ロッド部の一端は前記円形孔の直径より小さい直径を有することによって、前記円形孔を通じて前記半球部の内部に進入することができ、前記シリンジを前方に加圧する場合、前記シリンジの先端が前記ロッド部を前方に加圧して前進し前記切開部を開放させることを特徴とする、請求項３に記載のカテーテル用ガイドワイヤー挿入装置。
【請求項６】
前記スプリングは一端は前記チェックバルブの円形フランジで支持され、他端は前記ロッド部の中間に突出形成された中間段で支持されることを特徴とする、請求項５に記載のカテーテル用ガイドワイヤー挿入装置。
【請求項７】
前記キャップ部はその内部に中空が形成されて前記ロッド部が移動可能に取り付けられ、その先端の外周面には留め段が突出形成されて前記ニードル部の内周面に形成された留め溝に結合されることによって前記ニードル部に固定されることを特徴とする、請求項３に記載のカテーテル用ガイドワイヤー挿入装置。
【発明の詳細な説明】
【技術分野】
【０００１】
本発明はカテーテル用ガイドワイヤー挿入装置に関し、特にチェックバルブ装着によって人体に挿入された針を通じて血液が流出することを防止できるカテーテル用ガイドワイヤー挿入装置に関する。
【背景技術】
【０００２】
一般にカテーテルは人体内の病変を観察したり、薬物を注入したり、狭窄化した内腔を拡張させるのに用いられる医療用導管である。このようなカテーテルは心臓、胃腸、十二指腸など様々な部位の疾病治療に用いられており、特に、静脈や動脈などの血管内部の疾病治療に主に用いられる。したがって、カテーテルを人体内部に挿入するためには、患者の皮膚を切開し、ガイドワイヤーを通じて体内に挿入する。
【０００３】
図１（ａ）及び図１（ｂ）ではこのようなカテーテルを人体内に挿入する過程を示している。図示のように、カテーテルを人体内に挿入するために、まず、カテーテル用ガイドワイヤー挿入装置を組立てる。つまり、ニードル部１の後端部にシリンジ２を取り付ける。この時、前記シリンジ２のピストン７は後方に引かれた状態であるので、シリンジ２の内部は負圧状態である。この状態で施術者は前記カテーテル用ガイドワイヤー挿入装置を人体５内部に挿入して針４が血管内部に進入するようにする。
【０００４】
針４が血管の内部に進入しようとすると、血管内部の圧力がシリンジ２内部の圧力より高圧であるから、血液が前記針４を通じて流出してシリンジ２の内部に流入する。したがって、施術者は前記シリンジ２に流入する血液を観察することによって針４が血管内部に正確に挿入されたことを認識できる。
【０００５】
血液がシリンジ２の内部に流入することを確認した後、血管内部にガイドワイヤー６を挿入するために、前記シリンジ２をニードル部１から分離する。この時、ニードル部１に流入した血液がニードル部１の外部に放出される。したがって、施術者はこのような血液の放出を防止するために指などで前記ニードル部１の後端３を閉じる。
【０００６】
そして、ガイドワイヤー６を準備した後、指をニードル部１の後端３から離して、ガイドワイヤー６を前記ニードル部１の中空８を通じて血管内に挿入する。
【０００７】
このような過程を経てガイドワイヤー６を血管内の所定位置に挿入できる。
【０００８】
しかし、このようなカテーテル用ガイドワイヤー挿入装置はニードル部からシリンジを分離してガイドワイヤーを挿入する過程で血液が外部に放出される。したがって、このような血液の外部流出を防止するために施術者が指などでニードル部を閉じなければならないため施術過程が複雑になり、また、血液が外部に放出されることが完全に防止できない場合も発生するので、衛生上よくない問題点がある。
【０００９】
また、ガイドワイヤーを挿入して作業する場合にも、前記ニードル部を通じて血液が外部に放出されることがある。
【００１０】
また、シリンジをニードル部から分離せずに、ガイドワイヤーを直接シリンジを貫通させて人体内部に挿入する構造の注射器においては、このような注射器を人体に挿入する場合、注射器はニードル部とシリンジを合せただけの長さになって、施術者が操作しにくい問題がある。
【発明の開示】
【発明が解決しようとする課題】
【００１１】
したがって、本発明の目的は前述した問題点を解決するために案出されたものであって、針を人体の内部に挿入する場合、血液が外部に放出されることを防止し、ガイドワイヤーを衛生的に血管内部に挿入できるカテーテル用ガイドワイヤー挿入装置を提供する。
【課題を解決するための手段】
【００１２】
前記本発明の目的を実現するために、本発明の好ましい一実施例は、その内部に中空が形成され、先端部には血管に挿入される針が取り付けられるニードル部と、前記ニードル部の中空に取り付けられて前記針を通じて流入した血液の流れを遮断するバルブ手段と、前記ニードル部の中空の後端部に取り付けられて前記バルブ手段を前記ニードル部の内部に固定させるキャップ部と、そして前記キャップ部の後端部に挿入されて前記バルブ手段を貫通することによって前記ニードル部を通じて血液を採取するシリンジを含むカテーテル用ガイドワイヤー挿入装置を提供する。
【００１３】
本発明の好ましい実施例によると、前記バルブ手段は血液の流れを遮断するチェックバルブと、前記チェックバルブの後方に取り付けられて前記シリンジの先端部によって前進運動することによって前記チェックバルブを開放させるロッド部と、前記ロッド部を後方に加圧してシリンジを除去した状態では前記チェックバルブが閉じるようにするスプリングを含む。
【００１４】
前記チェックバルブは中間部に円形孔が形成された円形フランジと、前記円形フランジの一側に半球状で突出形成されて前記針と対向しており、その頂点に切開部が形成され、内部には空間が形成されて前記円形フランジの円形孔と連通する半球部を含む。
【００１５】
前記チェックバルブは自身の弾力性によって前記切開部が常時弾力的に密閉される。
【００１６】
前記ロッド部はその内部に中空が形成された管状であり、前記ロッド部の一端は前記円形孔の直径より小さい直径を有して前記円形孔を通って前記半球部の内部に進入することができ、前記シリンジを前方に加圧する場合、前記シリンジの先端が前記ロッド部を前方に加圧して前進し、前記切開部を開放させる。
【００１７】
前記スプリングは一端は前記チェックバルブの円形フランジで支持され、他端は前記ロッド部の中間に突出形成された中間段で支持される。
【００１８】
前記キャップ部はその内部に中空が形成されて前記ロッド部が移動可能に取り付けられ、その先端部の外周面には留め段が突出形成されて前記ニードル部の内周面に形成された留め溝に結合されることによって前記ニードル部に固定される。
【発明の効果】
【００１９】
本発明のカテーテル用ガイドワイヤー挿入装置は、その内部にチェックバルブを取り付けることによって針を血管内に挿入する場合、血液が外部に流出することを防止できる長所がある。
【００２０】
また、カテーテル用ガイドワイヤー挿入装置を人体に挿入した後、ガイドワイヤーを人体の内部に進入させる場合、シリンジを除去しニードル部に直接挿入して操作するので、全体的な長さが短くなって施術者が簡便にガイドワイヤー及びカテーテルを操作できる長所がある。
【発明を実施するための最良の形態】
【００２１】
以下、添付した図面を参照して本発明の好ましい実施例によるカテーテル用ガイドワイヤー挿入装置を詳細に説明する。
【００２２】
図２は本発明の好ましい実施例によるカテーテル用ガイドワイヤー挿入装置を示す分解斜視図であり、図３は図２に示されたカテーテル用ガイドワイヤー挿入装置の断面図であり、図４は図２に示されたカテーテル用ガイドワイヤー挿入装置の内部構造を示す分解斜視図である。
【００２３】
図面に示すように、カテーテル用ガイドワイヤー挿入装置は針１６が人体内の血管に挿入されるニードル部１０と、前記ニードル部１０に結合されて血管から噴出する血液が流入するシリンジ１１を含む。
【００２４】
このような構造を有するカテーテル用ガイドワイヤー挿入装置のニードル部１０はその内部に中空が形成される本体１５と、前記本体１５の先端部に結合され人体の血管に挿入される針１６と、前記本体１５の内部に位置して血液の流れを遮断するバルブ手段５０と、前記本体１５の後方に一体に取り付けられてシリンジ１１が挿入されるキャップ部２０を含む。したがって、前記針１６を通じて本体１５内部に流入された血液は前記バルブ手段５０によって逆流が防止され、前記シリンジ１１の先端部が前記バルブ手段５０を貫通する場合にだけ本体１５の内部に流入した血液がシリンジ１１に流入できる。
【００２５】
前記本体１５はその内部に中空１２が形成され、前記中空１２は血液が流入する前方部１３と、前記前方部１３の内径（Ｄ）より大きい内径を有する後方部１４からなる。前記前方部１３はその内径（Ｄ）がガイドワイヤー４５が通過できる程度の大きさを有し、先端部に取り付けられる針１６もやはりガイドワイヤー４５が通過できる程度の内径を有する。したがって、カテーテル（図示せず）を人体内に案内するためのガイドワイヤー４５が前記本体１５の中空１２を通じて人体内に挿入できる。
【００２６】
一方、前記後方部１４には前記のようにバルブ手段５０が提供される。このようなバルブ手段５０は血液の流れを遮断するチェックバルブ１７と、前記チェックバルブ１７の後方に取り付けられて、このチェックバルブ１７を開閉させるロッド部１８と、前記ロッド部１８を後方に加圧してチェックバルブ１７の開放を防止するスプリング１９からなる。前記チェックバルブ１７は適切な弾性力を有する合成樹脂材質で形成され、前記後方部１４の内部に取り付けられる。このようなチェックバルブ１７は中間部に円形孔２６が形成され、後方部１４の第１留め段２１にかかる円形フランジ２５と、前記円形フランジ２５の一側に半球状に突出形成されて前記針１６と対向する半球部２７で構成される。
【００２７】
そして、前記半球部２７の内部は空間が形成され、前記空間は前記円形フランジ２５の円形孔２６と連通する。また、前記半球部２７の頂点には図５に示されているように一定の長さで切開された切開部２８が形成される。前記切開部２８は前記チェックバルブ１７が弾力性を有する合成樹脂材質であるので、外力が作用しない場合、前記切開部２８は弾性力によって密着するので閉鎖される。そして、前記切開部２８は後述するロッド部１８が前記切開部２８を押し開ける場合には隙間ができて開放される。したがって、前記針１６を通じて流入した血液が前記切開部２８を通じてチェックバルブ１７内部に流入する。この切開部２８は一の字形、Ｙ字形などに切開できる。前記ロッド部１８はその内部に中空３０が形成された管体形状であり、前記本体１５の後方部１４の内部に前後方向に移動可能に取り付けられる。このようなロッド部１８の一端３１は前記円形孔２６の直径より小さい直径を有して、前記円形孔２６を通じて前記半球部２７の内部に配置される。
【００２８】
好ましくは、前記切開部２８から一軸線上に一定の距離離れた位置である。そして、前記ロッド部１８の他端部３２には後述するシリンジ１１の先端部４０が挿入されて前方に加圧する。
【００２９】
したがって、前記ロッド部１８がシリンジ１１によって前方に加圧される場合、前記ロッド部１８の一端３１が前記チェックバルブ１７の切開部２８を押して開放させ、本体１５の前方部に流入した血液が前記チェックバルブ１７を通じて流入し前記ロッド部１８を通過するようになる。
【００３０】
そして、前記チェックバルブ１７とロッド部１８との間には一定の弾性力を発生する弾性部材、好ましくはスプリング１９が取り付けられる。このようなスプリング１９は一端４１が前記チェックバルブ１７の円形フランジ２５の側面で支持され、他端４２は前記ロッド部１８の中間段３３の側面で支持される。したがって、シリンジ１１によって前方に加圧された前記ロッド部１８は前記スプリング１９によって後方に弾力的に押される。結果的に、前記シリンジ１１を前方に加圧する場合には前記ロッド部１８が前方に押されてチェックバルブ１７の切開部２８を開放し血液が内部に流入し、反対にシリンジ１１の加圧状態を解除する場合には前記スプリング１９の弾性力によって前記ロッド部１８が後方に押されて前記チェックバルブ１７の切開部２８が閉鎖され血液が流入することを防止する。
【００３１】
一方、前記本体１５の後方部１４にはキャップ部２０が嵌合されて前記チェックバルブ１７とロッド部１８、そしてスプリング１９が外部に引出しされることを防止する。このようなキャップ部２０は内部に中空３６が形成され、先端３７は前記本体１５の後方部１４の内部に挿入される。そして、キャップ部２０の先端３７外部には留め段２３が突出形成され、前記留め段２３は前記後方部１４の内周面に形成された留め溝２２に結合される。また、前記キャップ部２０の中間部には第２留め段３８が形成されて、前記本体１５の後端側面にかかる。したがって、前記キャップ部２０は前記本体１５の後端部に一体に結合されるのでチェックバルブ１７とスプリング１９、そしてロッド部１８を本体１５の内部に固定する。
【００３２】
そして、前記キャップ部２０の後端にはシリンジ１１が取り付けられて前記キャップ部２０を通じて流出する血液を貯蔵する。
【００３３】
以下、添付した図面を参照して本発明の好ましい実施例によるカテーテル用ガイドワイヤー挿入装置の動作をさらに詳細に説明する。
【００３４】
図６（ａ）乃至図６（ｂ）に示すように、カテーテルを人体内に挿入するために、まず、カテーテル用ガイドワイヤー挿入装置を組立てる。つまり、本体１５の内部中空にチェックバルブ１７と、スプリング１９、そしてロッド部１８を順次に挿入し、最後にキャップ部２０を取り付ける。そして、シリンジ１１を前記キャップ部２０の中空３６を通じて押し入れる。この時、前記シリンジ１１のピストン３９は後方に引かれた状態であるので、シリンジ１１の内部は負圧状態である。この状態で前記シリンジ１１を前方に少し押すと、シリンジ１１の先端４０が前記ロッド部１８を前方に加圧する。したがって、前記ロッド部１８がチェックバルブ１７の切開部２８を押して、前記切開部２８は開放状態となる。この時、前記スプリング１９は圧縮状態である。
【００３５】
前記のように、カテーテル用ガイドワイヤー挿入装置の組立が完了すると、施術者は前記カテーテル用ガイドワイヤー挿入装置を人体４４の内部に挿入して針１６が血管内部に進入するようにする。
【００３６】
針１６が血管の内部に進入すると、血管内部の圧力がシリンジ１１内部の圧力より高圧であるから、血液が前記針１６を通じて流出し、チェックバルブ１７、ロッド部１８、そしてキャップ部２０を通じてシリンジ１１の内部に流入する。
【００３７】
したがって、施術者は前記シリンジ１１に流入する血液を観察することによって針１６が血管内部に正確に挿入されたことが認識できる。
【００３８】
血液がシリンジ１１の内部に流入したことを確認した後、血管内部にガイドワイヤー４５を挿入するために、前記シリンジ１１をニードル部１０から分離する。この時、前記ロッド部１８を前方に加圧するシリンジ１１の加圧状態が解除されるので、前記スプリング１９が弾性力によってロッド部１８を後方に押し出し、前記切開部２８を貫通したロッド部１８の先端３１が前記切開部２８から離脱する。したがって、前記切開部２８は弾力によって互いに密着して閉鎖状態になり、血管から血液が流出することを防止する。
【００３９】
この状態で、ガイドワイヤー４５を前記キャップ部２０を通じてニードル部１０の内部に押し入れる。この時、前記ガイドワイヤー４５の先端４６は前記ロッド部１８の内部及び前記チェックバルブ１７の切開部２８を貫通して針１６の内部に進入し、針１６の内部を通じて血管内部に挿入される。したがって、前記過程を通じてガイドワイヤーを血管内の所定位置に挿入できる。
【００４０】
ガイドワイヤー４５を血管内部に挿入した後、前記カテーテル用ガイドワイヤー挿入装置を人体から分離し、カテーテルを人体内部に挿入して所望の施術をする。
【００４１】
本発明は当該発明が属する分野の通常の知識を有する者であれば誰でも特許請求の範囲で請求する本発明の要旨から逸脱せず多様に変更実施することができるので、上述した特定の好ましい実施例に限定されない。
【図面の簡単な説明】
【００４２】
【図１】従来のカテーテル用ガイドワイヤー挿入装置を利用してガイドワイヤーを血管内部に挿入する過程を示す状態図である。
【図２】本発明によるカテーテル用ガイドワイヤー挿入装置を示す分解斜視図である。
【図３】図２に示されたカテーテル用ガイドワイヤー挿入装置の断面図である。
【図４】図２に示されたカテーテル用ガイドワイヤー挿入装置の内部構造を示す分解斜視図である。
【図５】図４に示されたバルブの正面に形成された切開部を示す斜視図である。
【図６】本発明の好ましい実施例によるカテーテル用ガイドワイヤー挿入装置によってガイドワイヤーを血管内部に挿入する過程を示す状態図である。
【符号の説明】
【００４３】
１０  ニードル部
１１  シリンジ
１５  本体
１６  針
１７  チェックバルブ
１８  ロッド部
１９  スプリング
２０  キャップ
２５  円形フランジ
２７  半球部
２８  切開部
４５  ガイドワイヤー
５０  バルブ手段
【図１】
2004530517.tif 000003
【図２】
2004530517.tif 000004
【図３】
2004530517.tif 000005
【図４】
2004530517.tif 000006
【図５】
2004530517.tif 000007
【図６】
2004530517.tif 000008
【国際公開パンフレット】
2004530517.tif 000009
2004530517.tif 000010
2004530517.tif 000011
2004530517.tif 000012
2004530517.tif 000013
2004530517.tif 000014
2004530517.tif 000015
2004530517.tif 000016
2004530517.tif 000017
2004530517.tif 000018
2004530517.tif 000019
2004530517.tif 000020
2004530517.tif 000021
2004530517.tif 000022
2004530517.tif 000023
2004530517.tif 000024
2004530517.tif 000025
2004530517.tif 000026
2004530517.tif 000027
2004530517.tif 000028
【国際調査報告】
2004530517.tif 000029
2004530517.tif 000030